(57)【特許請求の範囲】
【請求項１】
多段伸縮式の傘軸（２）と、その傘軸（２）の先端と上ロクロ（６０１）の間に設けられ、傘開閉用ワイヤ（６）が巻き掛けられる上プーリー（４−１）が取り付けられる上プーリー取付部材（４）とを有する多段自動開閉式の傘の握り柄（８）と傘軸（２）の内に、傘開閉制御装置と共に設けられる安全装置（１０）であって、下記の構成要素［１］乃至［５］、即ち、
［１］ゼンマイ（２２）が収容されたゼンマイ室（２０ａ）と、ゼンマイ室（２０ａ）と同軸に設けられるラチェット歯輪（２０ｂ）と、リール（２０ｃ）とから成るラチェット装置（２００）。
［２］ラチェット装置（２００）を回転自在に支持する支軸（２５）。
［３］操作アーム（４１ａ）と、自由端部がラチェット装置（２００）のラチェット歯輪（２０ｂ）に当接し得るラチェット制御アーム（４１ｂ）とからなり、その角隅部に設けた軸孔（４１ｃ）を貫通する支軸（４３）の周りに揺動自在に取り付けられるラチェット制御レバー（４０）。
［４］ラチェット制御アーム（４１ｂ）をラチェット歯輪（２０ｂ）に向け押し付ける方向に、ラチェット制御レバー（４０）に弾性力を作用するバネ（４４）。
［５］一端が傘軸（２）の上端に固定され、傘軸（２）の内部を通って下方に導かれ、他の一端がラチェット装置（２００）のリール（２０ｃ）に固定され、そのリール（２０−ｃ）に固定される端部側の部分がリール（２０ｃ）に巻き取られ、傘軸（２）の伸縮に応じて引き出され、巻き込まれる制動用ワイヤ（３０）。
とから成り、
傘軸（２）の外管（２−１）と、上プーリー取付部材（４）に、それぞれスリット（２−１ａ）、（４ａ）が、傘が組み立てられたとき制動用ワイヤ（３０）の通路となる孔が形成されるように設けられ、その孔に制動用ワイヤ（３０）の一端が貫通し、外管（２−１）の外側で結び目が形成され、これにより制動用ワイヤ（３０）の一端が傘軸（２）の上端に固定されることを特徴とする、多段自動開閉式の傘の安全装置（１０）。
【請求項２】
傘軸（２）の下端に、管壁に相対向するよう窓（９ａ）及びスロット（９ｂ）を設けた制御管（９）が接続され、制御管（９）の下端部は傘開閉装置と安全装置とが設けられる制御装置本体（１０）が結合されており、ラチェット制御レバー（４１）の操作アーム（４１ａ）が、スロット（９ｂ）から制御管（９）を横切るよう制御管（９）内に挿入され、窓（９ａ）に達する位置まで延びていることを特徴とする請求項１に記載の安全装置（１００）。
【請求項３】
ラチェット制御レバー（４１）の操作アーム（４１ａ）がその先端部上面に突起（４１ｅ)を有する請求項１又は２に記載の安全装置（１００）。
【請求項４】
ラチェット制御レバー（４１）のラチェット制御アーム（４１ｂ）が、そのラチェット制御アーム（４１ｂ）の先端が、ラチェット歯輪（２０ｂ）の中心軸より低い位置で、ラチェット歯輪（２０ｂ）に接離する、請求項１乃至３の何れか一に記載の安全装置（１００）。
【請求項５】
ラチェット制御アーム（４１ｂ）をラチェット歯輪（２０ｂ）に向け押し付ける方向に、ラチェット制御レバー（４０）に弾性力を作用するバネ（４４）が、ラチェット制御アーム（４１b）と、制御装置本体（１０）の間に設けられる引張りコイルスプリング（４５）である、請求項１乃至４の何れか一に記載の安全装置（１００）。
【請求項６】
ラチェット装置（２００）が、握り柄（８）の中心軸からリール（２０ｃ）の制動用ワイヤ（３０）の巻き半径だけ偏倚した位置に設けられた請求項１乃至５の何れか一に記載の安全装置（１００）。
【請求項７】
制御管（９）の片側の外周面に、その上端から下端まで真っ直ぐ延びる縦溝（９１）が形成され、その縦溝（９１）内を制動用ワイヤ（３０）が通過し、直進してリール（２０ｃ）巻き取られるよう構成した請求項１乃至６の何れか一に記載の安全装置（１００）。
【請求項８】
芯管（５）の下端にスリット（５ａ）を形成し、当該スリット（５ａ）を通じて制動用ワイヤ（３０）を芯管（５）の内部へ導入するよう構成した請求項１乃至７の何れか一に記載の安全装置。
【請求項９】
ワイヤ（３０）の上端が、傘軸（２）の内部を上方向へ通過し、芯管（５）の下端に固定された請求項１乃至８の何れか一に記載の安全装置。
【請求項１０】
芯管（５）の下端に固定用部品アセンブリ（６０）が取り付けられ、その固定用部品アセンブリ（６０）は少なくとも１つの管材（６１）を有し、当該管材（６１）の上端には、制動用ワイヤ（３０）の上端に形成した結び目（３２）を取り付けるためのスリット（６１１）が形成され、これにより、制動用ワイヤ（３０）の上端を芯管（５）の下端に固定するよう構成した請求項８に記載の安全装置。
【請求項１１】
請求項１乃至１０項記載の安全装置を具備した多段自動開閉傘。
【発明の詳細な説明】
【技術分野】
【０００１】
本発明は、自動開閉傘の安全装置に関し、特に、傘軸を押し縮める際にその加圧力が突然失われることによって生じる傘軸の撥ね出しを効果的に防止する安全装置及びその安全装置を具備した自動開閉傘に関するものである。
【背景技術】
【０００２】
現在市販されている自動開閉傘の傘軸は、握り柄部分に設けた押しボタンを押すことによって傘が開閉するようになっている。
傘を畳むときユーザーは押ボタンを押して傘骨を折り畳んだ後、手で傘軸を圧縮し、傘軸を予め設定されたロック位置まで押し縮める必要があり、そうすることによって、傘を完全に閉じた状態にすることができる。
傘軸を圧縮する過程において、使用者が不用意に傘軸を開放したりすると、傘軸が撥ね戻るようにして伸び、使用者自身や周りにいる人々を傷つけることがある。
以下に、自動開閉傘のそのような撥ね出しを防止する安全装置に関する先行技術について説明する。
【０００３】
図１には、中国特許第１０１６４２３１９Ａ号公報（特許文献１）において開示された自動開閉傘の安全装置が示されている。この安全装置は、傘軸の撥ね出し防止用ロープ１０１、ラチェット１０２、ラチェット基板１０３、ゼンマイバネ１０４、撥ね出し防止ストッパ１０５、復帰バネ１０６、留め具案内管１０７、主体部１０８、押圧片１０９、銃弾形の留め具１１０、等々から構成されている。この安全装置における傘軸の撥ね出し防止用ロープ１０１の上端はプーリー取付座に固定され、また、当該ロープ１０１の下端は傘軸の内管及び銃弾形の留め具１１０の内部を通過して、ラチェット１０２に巻き付けられている。然しながら、上記ロープ１０１を留め具１１０の内部に挿通するという構成は、製造工程数を増加させると共に、留め具１１０の強度を低下させる。更にまた、上記留め具１１０と撥ね出し防止用ストッパ１０５は、いわゆる第３種梃子（てこ）を構成している。これは、支点が梃子の一端に存在し、梃子の力点は支点と作用点との間に位置する梃子のことを意味している。そのため、撥ね出し防止用ストッパ１０５を押してラチェット１０２からロックを解除するときには、上記銃弾形留め具１１０を強い力で押し込む必要がある。そのため留め具１１０は容易に摩耗し易く、撥ね出し防止用ストッパ１０５も正常位置から変位してしまう。従って、撥ね出し防止効果が失われ、ユーザーは怪我をし易くなる。
【０００４】
図２には、中国特許第１０１４３８８７７Ａ号公報（特許文献２）において開示された自動開閉傘の安全装置が示されている。この安全装置は、握り柄２００、ワイヤ巻取りボビン２０１、撥ね出し防止用ワイヤ２０２、ゼンマイバネ２０３、接離盤２０４、接離付勢バネ２０５、はす歯２０６、ロープ２０７、留め具２０８、連動ロッド２０９、等々から構成されている。この安全装置における撥ね出し防止用ワイヤ２０２の上端は、傘軸の上端に設けた上ロクロに固定され、ワイヤの下端はワイヤ巻取りボビン２０１に取り付けられている。然しながら、この装置は、クラッチの配置などに非常に複雑な構造を有し、そのため組立て作業が困難で、時間と労力を消費するものである。そのため製造コストが増大する。更にまた、各部品のそれぞれの動きが部品の摩耗を生じさせ、撥ね出し防止効果を消失させ易くする。
【０００５】
図３には、日本特許公開第２００９−１２５５８１号公報（特許文献３）及び米国特許第２００９／０１３３７２９Ａ１号公報（特許文献４）において開示された自動開閉傘の安全装置が示されている。この安全装置は、握り柄３００、ロープ３０１、巻取りボビン３０２、傘軸３０３、等々から構成されている。この安全装置におけるロープ３０１の上端は、傘の握り柄３００の上面に明けた孔を通過して傘軸３０３の側面に沿って上昇し、上ロクロに取り付けられると共に、ロープ３０１の下端は、巻取りボビン３０２に取り付けられる。然しながら、このような構造であると、ロープ同士が絡まり易いという問題がある。また、傘軸３０３の外面に露出したロープは摩耗し易く、耐用寿命が短くなる。従って、撥ね出し防止効果が失われ易いという問題もある。
【０００６】
図４には、中国特許第１０１６５３３０９Ａ号公報（特許文献５）及び中国特許第１０１４３８８７７Ａ号公報（特許文献６）において開示された自動開閉傘の安全装置が示されている。これらの特許は同一出願人によるものであるため、ラチェット４０１及び係止爪４０２がボビン２０１及びクラッチと入れ替わっている点を除き、ほぼ同様の構成を有している。この安全装置は、ラチェット４０１、係止爪４０２、制御子４０３、連動部材４０４、ロープ４０５、付勢バネ４０６、等々から構成されている。然しながら、これらの特許における連動部材４０４と係止爪４０２とは、いわゆる第３種梃子を形成している。そのため、係止爪４０２をラチェット４０１から解除するには、連動部材４０４に大きな力を加える必要がある。また、制御子４０３にはロープ４０５を挿通することのできる挿入孔を設ける必要がある。そのため製造工程数が増加すると共に、制御子４０３の強度は低下する。更にまた、制御子４０３の下端には開口部があるため、これと連動部材４０４の上端の開口部との間に摩擦と摩耗が生じ、耐用寿命は短くなり、撥ね出し防止効果が失われる。
【０００７】
図５には、中国実用新案公開第２０１３０３６５９Ｙ号公報（特許文献７）及び台灣特許第Ｍ３５８５５６号公報（特許文献８）において開示された自動開閉傘の安全装置が示されている。この安全装置５０１は、握り柄５００、回転盤５０２、撥ね出し停止用ロープ５０３、ゼンマイバネ５０４、制御片５０５、等々から構成されている。この安全装置５０１における撥ね出し停止用ロープ５０３の連結端部は回転盤５０２に連結され、巻付け端部は上ロクロ又は連結ユニットの一方と連結されている。然しながら、この発明はその構造が複雑であるため、組立てが困難である。従って、組立て作業は時間と労力を消費し、コスト高となる。更にまた、握り柄５００の大きさも増大し、そのため傘のサイズも大きくなる。これは、持ち運びや操作の便利さを損なうものである。
【０００８】
以上の如く、の先行技術はいずれも傘軸の撥ね出し防止効果を有するものではあるが、次のような問題点を有している。
１．これらの先行技術に係る装置は、撥ね出し防止装置のない従来品に比べて多くの部品を用いるため、それらを組み立てたときの握り柄のサイズを前と同じに保つためには、各部品のサイズを小さくしなければならない。そのため、各部品の強度が低下し、作動が不安定になり、故障を生じ易くなる。
２．これらの先行技術に係る装置は、より多くの部品を用いるため、製造コスト、例えば成形コストが増加する。
３．これらの先行技術に係る装置は、複雑な構造であるため、組立作業が困難になる。そのため、その組立には労力と時間の消費が増大する。
４．これらの先行技術に係る装置は、各部品間の相対的な動きが多くなるため、摩耗を生じ易く、これにより装置の耐用寿命が短くなり、また、故障を生じ易くなる。
【先行技術文献】
【特許文献】
【０００９】
【特許文献１】中国特許公開第１０１６４２３１９Ａ号公報
【特許文献２】中国特許第１０１４３８８７７Ａ号公報
【特許文献３】特開平２００９−１２５５８１号公報
【特許文献４】米国特許第２００９／０１３３７２９Ａ１号公報
【特許文献５】中国特許第１０１６５３３０９Ａ号公報
【特許文献６】中国特許第１０１４３８８７７Ａ号公報
【特許文献７】中国実用新案第２０１３０３６５９Ｙ号公報
【特許文献８】台灣特許第Ｍ３５８５５６号公報
【発明の概要】
【発明が解決しようとする課題】
【００１０】
本発明の主要な目的は、自動開閉傘における傘軸の撥ね出しを防止し、従来技術におけるの如き問題点を解決し得る新規な安全装置及びその自動開閉傘を提供することにある。
【００１１】
本発明のもう１つの目的は、部品数が少なく、各部品間の連結状態、構造及び動きが単純化された安全装置を具備した自動開閉傘を提供することにある。本発明によれば、安全に開閉でき、握り柄内の制限されたスペースにおいて、各部品のサイズを相対的に大きくすることができ、それによってそれらの部品の強度を増大させた安全装置を具備する自動開閉傘を提供することができる。
【００１２】
本発明のもう１つの目的は、単一のユニットとして組み立てられるため、組立て、分解がし易く、製造コストや修理代金を低減し得る安全装置を提供することにある。
本発明のもう１つの目的は、作動の安定した故障の少ない安全装置を提供することにある。
本発明のもう１つの目的は、握り柄を細く短くでき、持ち運びや操作に便利で、安全な自動開閉傘を提供することにある。
【課題を解決するための手段】
【００１３】
上記の本発明の目的は、以下のように構成された安全装置により達成される。この安全装置は傘自動制御装置と一体的にユニット化されており傘の握り柄内の収容され、自動開閉傘の傘軸の押し縮め操作時の不時の撥ね出しを防止するものである。
自動開閉傘は、１本の外管と、外管内に順次入れ子状に挿入される少なくとも１本の中間管２−２及び最後の中間管２−２に入れ子状に挿入される１本の内管とから成る多段伸縮式傘軸と、外管の上端に取り付けられた上ロクロと、傘軸に沿ってスライド可能なよう設けられた下ロクロとを有し; これら上ロクロ及び下ロクロは開閉折り畳み自在に構成された傘骨アセンブリにより連結されているものである。
又、外管頂部には、上プーリー取付部材が設けられ、その部材には傘開閉用のワイヤが巻きかけられるプーリーと共に、傘の開閉を制御する芯管が外管と同軸に設けられる。この芯管は内管より細く、内管の中に挿入することができる。
【００１４】
この安全装置は、公知の傘自動開閉制御装置に附設されるものであって、制動用ワイヤと、制動用ワイヤが巻き取られるリール付のラチェット装置（以下、単にラチェット装置と言う。）と、ラチェット制御レバー（以下単に制御レバーと言う。）とから構成され、その主要部は傘自動開閉制御装置の一部と共に単一のユニットとして組み立てられ、傘の握り柄内に収納される。
【００１５】
この安全装置は、公知の傘開閉制御装置の押ボタン及び制動用ワイヤの一端に設けられ芯管や押ボタンその他の部材により制御される公知の銛形の制御子（以下、単に制御子と言う。）により制御され、傘開閉制御装置と連動する。
そして、当該傘開閉制御装置の作用を妨げることなく追随作動するが、傘の閉傘折畳み行程中の傘軸を押し縮める過程で、使用者が握り柄から手を離したとき等は、傘軸が瞬発的に伸長し傘が開くことを阻止し、そして使用者が再び傘軸を押し縮めようとするときは、通常通り傘軸の短縮を許容するものである。
【００１６】
ラチェット装置と制御レバー及び制動用ワイヤの一部は、傘軸の下端、即ち内管の下端に制御管を介して設けられる制御装置本体に押ボタン装置などと共に取り付けられ、一つのユニットを構成しており、このユニットに握り柄が被せられ、制御装置本体と握り柄がネジ止めされ、傘の組立が完了するようになっている。
【００１７】
ラチェット装置は、一つの円板の外周面に複数の一方向ラチェット歯を等間隔に形成して成るラチェット歯輪と、そのラチェット歯輪と同軸に一体成型されたゼンマイ室及び制動用ワイヤを巻き込むリールとから成る本体と、ゼンマイ室に収容されるゼンマイと、ラチェット装置を回転自在に支持する固定軸とから成る。
ゼンマイの外周側の端末は、ゼンマイ室の内壁に設けたスリットに挟み込まれ、内側の端末は装置を支持する固定軸に設けたスリットに挟み込まれ固定される。
傘開閉制御用ワイヤ（以下単に傘開閉用ワイヤと言う。）の一端は、傘軸の頂部に固定され、次いで下方へ導かれて下ロクロに設けた折り返しローラーで折り返されたのち上方へ導かれ、更に傘軸の頂部に設けたプーリー取付部材に支持されているプーリーを通過したのち、芯管内を通って下方へ導かれて、その下端には開傘制御用の制御子が取り付けられる。
【００１８】
制動用ワイヤの下端部には結び目が形成され、その結び目に隣接する部分がラチェット装置のリールフランジに設けたスリットに挟み込まれて固定され、制動用ワイヤは弛みなくリールの円筒面に巻き付けられる。
制動用ワイヤの上端は傘軸の内部を通過したのち、その上端が外管の上部に形成したスロットとプーリー取付部材に形成したスロットに挟まれて固定される。 
【００１９】
制御レバーは、制御子により制御される操作アームとラチェットを制御するラチェット制御アームとから成る概ね逆Ｌ字形又は７の字形を有し、角隅部には支軸孔が設けられている。制御装置本体には、支軸が設けられており、制御レバーはその支軸穴により、支軸に揺動自在に取り付けられる。
【００２０】
操作アームは傘軸の下端近くの位置で制御管９を横切るように水平方向に延びており、これにより制御子が制御レバーの操作アームの先端部操作面に接離し得るよう構成される。かかる構成によれば操作アームの作用点・支点間距離を長くでき、制御レバーを軽微な力で操作できるようにすることができる。 
このように制御子が直接操作アームに接離する構成は、本発明の最大の特徴である。
先行技術においては、全て制御子と操作アームの間に、何らかの伝達機構が設けられており、そのため構造が複雑となり、組立てを困難にし、故障を生じ易くする。
而して、本願発明において、上記の如き直接接触が可能となった理由は、制御レバーの形と配置、及びラチェット歯輪の配置にある。
先ず、制御レバーの全体的な形について言えば、その特徴は、力点（制御子の作用点）と作用点（ラチェット歯輪との接触点）の間に支点（枢軸の中心）が存在するタイプの梃子（第一種の梃子）として構成されていること、更に操作アームが長く、制御管を横切って延びていることと、ラチェット制御アームも長く、ラチェット歯輪の中心より下方まで延びていること、即ち、作用点がラチェット歯輪の中心より低い位置にあることなどである。
即ち従来公知の全ての制御レバーでは、一端に支点が、他の一端に作用点があり、その中間に力点があるタイプの梃子が用いられており、そのため、設計上の制約から作用点がラチェット歯輪の中心より高い位置にくることになり、そのためラチェット制御アームの振幅を充分に取るため、支点・作用点間距離を短くしたり、作用点の作動振幅を大きくしたりする必要があるが、これらは制御レバーの作用に無理を生じさせるものである。
本願発明では、ラチェット装置の中心軸を、傘軸中心軸から、傘軸の一半径方向に、リールの制動用ワイヤの平均巻き径程度シフトし、リールに巻かれた制動用ワイヤが、傘軸中心に沿って引き出され、巻き取られるよう構成する。
このようにすれば、制動用ワイヤの移動が円滑、軽快になると共に、装置自体を極めて簡略な構造とすることができ、安価で故障が少なく、安全度の高い自動開閉傘を提供できるものである。
【００２１】
傘軸が短縮されているときは、外管と共に芯管が降下し、制御子は芯管に押されて降下し、更に、銛の「あぐ（かかり）」に相当する部分が、内管に接続された制御管の側壁に設けたバネ片の作用で反対側に設けられた窓に引き掛けられており、これにより一方においては傘軸の伸長が阻止され、他の一方においては制御子は操作アームの操作面に当接し、これを押し下げているので、これにより制御レバーが支軸を中心に回動せしめられて、そのラチェット制御アームの下端はラチェット歯輪から外れた状態となり、ラチェットが開放されるので、安全装置用の制動用ワイヤがラチェット装置のリールに巻き取られている。 
【００２２】
押ボタンが押され、傘軸がその伸長状態に切り換えられるときには、傘軸は圧縮されていた開傘バネの弾性力により伸長する。然しながら、このとき制御子の「あぐ」は依然として制御管の窓に掛けられており、そのため、傘開閉用ワイヤにより下ろくろが上方に引き上げられ、傘が開かれる。
このときは、制御子の先端部は制御レバーの操作アームの操作面を押圧しているので、制御レバーはラチェット歯輪から離れ、ラチェットは回転自在となるので、ラチェット装置のリールに巻き込まれていた制動用ワイヤが、傘軸の伸長に応じて引き出される。
【００２３】
再び押しボタンが押されると、制御子の「あぐ」は押ボタン装置の制御バーに押されて制御管の窓から外されるので、傘骨は傘骨アッセンブリに含まれるバネの弾性力によって収縮し、折り畳まれ、同時に下ろくろが下降し、制御子が上昇する。
このときは、傘軸は未だ収縮せず長いままであるので、使用者は自分の手で傘軸を圧縮する必要がある。
【００２４】
このときは、制御レバーは制御子から開放され、バネの弾性力によりラチェット制御アームの下端は、ラチェット歯輪に押し当てられており、ラチェットの順方向へ回転を許容すると共に、その逆転を阻止するよう作用するようになっている。
このため，傘軸が押し縮められつつある過程では、ラチェット歯輪はゼンマイの弾性力により順方向、即ち図１６などの中で時計方向に回転するので、制動ワイヤは傘軸の短縮に合わせてリールに巻き込まれる。
【００２５】
このとき、使用者が傘から一方の手を離したりすると、傘軸が再び伸長しようとするので、制動ワイヤに強い張力が掛かり、リールを逆転させ、制動ワイヤを引き出そうとするが、このときは、制御レバーのラチェット制御アームがラチェット歯輪に押し当てられているので、これによりラチェット装置の逆転が防止され、傘軸の予期しない急な伸長、即ち撥ね出しが防止されるようになる。
上記の如く構成された安全装置及びそれを含む自動開閉傘によるときは、前述の本発明の目的が達成される。
【００２６】
ラチェット装置は、握り柄の中心軸から握り柄の半径方向にリールの平均巻き半径程度、変位した位置に設けることが推奨される。
このように構成することにより、制動用ワイヤが傘軸の中心線に沿ってリールから引き出され、又は巻き込まれるようになり、更にラチェット制御アームを充分長く構成し得るようになる。
制御レバーは、その操作アームが制御管の内部を横断して延びるように、そしてラチェット制御アームがラチェット装置のラチェット歯輪に低い位置で接離する位置まで延び、ラチェットの回転を制御できるように構成する。
このため制御レバーは、逆L字形、７の字型、Ｊ字形、弓形、Ｃ字形、三日月形などの形状とされる。
【００２７】
制御管の片側の外周面には、その上端から下端まで、１本の母線に沿って延びる縦溝を形成し、その縦溝内を制動用ワイヤが通過できるように構成することが推奨される。
ラチェット装置のゼンマイ室の外周壁には、ゼンマイの末端部を係止するためのスリットを形成し、また、ラチェット装置のリールの端面フランジには、制動用ワイヤの下端の結び目を保持し固定するスリットを形成することが推奨される。
芯管の下端にスリットを形成し、そのスリットを通じて制動用ワイヤを芯管の内部へ導入するよう構成することが望ましい。
【００２８】
制動用ワイヤの上端は、芯管の下端に取り付けることが可能である。
このため、芯管の下端部の外周を僅かに削って小径部を設けると共に、下記の第１管材と、この第１管材を芯管の下端に取り付けるための第２管材を用意する。
第１管材は、芯管と同径の管材の一端部を芯管の小径部と同径に削って小径部を形成すると共に、その管材の外面に一母線に沿って制動用ワイヤを通すための溝を設け、更にその上端に制動用ワイヤの一端に設けた結び目を挟み留めるためのスリットを設けて成るものである。
【００２９】
第２管材は、第１管材及び芯管の小径部と同径の内径を有する短い接続用の円管である。
制動用ワイヤは第１管材の側面の溝に納められ、その端部の結び目が第１管材の中に入るようにしてスリットに挟み込まれる。
この状態で、芯管と第１管材の小径部が第２管材の内部に嵌め込まれ、これにより、制動用ワイヤが芯管の下端部に取り付けられる。
制動用ワイヤの他の一方の端部は、ラチェット装置のリールのフランジに設けたスリットに挟み込まれ、制動用ワイヤはリールに巻き込まれる。
【００３０】
制御レバーの操作アーム先端部に上向き突出部を形成し、その上向き突出部の上端面を、制御子に当接せしめられる操作面として利用するよう構成することが推奨される。
制御レバーに取り付けるバネは、ピボット止めされた二又バネであってもよいし、或いはまた、コイルスプリングであって、そのコイルスプリングの一端は制御装置本体へ取り付けられ、もう一方の端部はラチェット制御アームに設けたの掛け孔に取り付けられたものであってもよい。
【発明の効果】
【００３１】
本発明は、上記の如く構成されるので、下記のような作用効果を達成し得る。
１．本発明に係る安全装置は、基本的に、ラチェット装置と、制動用ワイヤと、制御レバーという少ない部品から構成されるので、握り柄内の制限されたスペースの条件下において、各部品のサイズを大きくすることができ、それによって各部品の強度を増大させ、耐用寿命を延ばすことができる。
【００３２】
２．本発明に係る安全装置は、構成部品数が少ないので組立て、分解作業がし易く、更に又、ラチェット装置や制御レバーを傘開閉制御装置と共に１つのユニットとして構成することが可能であるので、組立て、分解を一層容易にでき、製造コストや修理代金を大幅に低減することができる。
【００３３】
３．本発明に係る安全装置における制御レバーは、その操作アームとラチェット制御アームとの間に支軸が設けられ、この支軸を中心に揺動する第１種梃子として機能するので、力点（操作アーム上の制御子の作用点）に加える操作力が少なくて済み、部品の摩耗等を防止し得るので、故障が少なく、作動が安定していると共に、耐用寿命の長い安全装置を提供できる。
【００３４】
４．本発明に係る安全装置におけるラチェット装置は、握り柄の中心軸から変位した位置に設けられるので、反対側の空いたスペースに制御レバーを配置でき、このため握り柄内のスペースを有効に利用でき、握り柄のサイズを細く短くでき、持ち運びや操作に便利な自動開閉傘を提供できる。
【図面の簡単な説明】
【００３５】
本明細書においては、傘軸の中心軸をZ軸、Z軸と直交する平面であって、ラチェット装置の中心軸を含む平面上で、ラチェット装置の中心線と平行で、原点Oに於いてＺ軸と交わる直線をＹ軸、Ｙ軸とＺ軸の交点、即ち、原点Ｏで、これらの両軸に直交する直線をＸ軸とするものとし、又、傘の石突き側を上方、握り柄側を下方として記載するものとする。
【００３６】
【図１】自動開閉傘における傘軸の撥ね出しを防止し得るようにした従来の安全装置の一例（特許文献１）を示す握り柄部分の断面図である。
【図２】自動開閉傘における傘軸の撥ね出しを防止し得るようにした従来の安全装置のもう１つの例（特許文献２）を示す握り柄部分の断面図である。
【図３】自動開閉傘における傘軸の撥ね出しを防止し得るようにした従来の安全装置の更にもう１つの例（特許文献３，４）を示す握り柄部分の断面図である。
【図４】自動開閉傘における傘軸の撥ね出しを防止し得るようにした従来の安全装置の更にもう１つの例（特許文献５，６）を示す握り柄部分の断面図である。
【図５】自動開閉傘における傘軸の撥ね出しを防止し得るようにした従来の安全装置の更にもう１つの例（特許文献７，８）を示す握り柄部分の分解斜視図である。
【図６】本発明に係る安全装置を具備した自動開閉傘（傘布は図示されていない。傘骨は一部のみが示されている。）の閉傘時の状態を示す側面図である。
【図７】図６に示した傘の安全装置の要部（握り柄内蔵部分）の構成例を示す分解斜視図である。
【図８】図７に示した安全装置における、傘開閉用ワイヤ及び制動用ワイヤの引き回し経路の一例を示す説明図である。
【図９】図６に示した傘のＺＸ面断面図である。
【図１０】図９に示した傘の安全装置の要部（握り柄内蔵部分）の閉傘時における状態を示す拡大ＺＸ面断面図である。
【図１１】図１０に示した傘の安全装置の要部の拡大ＹＺ面断面図である。
【図１２】図９に示した傘が開いた状態を示すＺX面断面図である。
【図１３】図１２に示した傘の安全装置の要部の拡大ＺＸ面断面図である。
【図１４】図１２に示した傘の安全装置の要部の拡大ＹＺ面断面図である。
【図１５】傘骨が閉じた状態を示すＺＸ面断面図である。
【図１６】図１５に示した傘の安全装置の拡大ＺＸ面断面図である。
【図１７】図１５に示した傘の傘軸を押し縮めるときの状態を示す拡大ＺＸ面断面図である。
【図１８】図１７に示した実施例の握り柄部分の拡大ＹＺ面断面図である。
【図１９】本発明に係る傘の安全装置の制御レバーの上記とは別の実施例を示す斜視図である。
【図２０】は、図１９に示した制御レバーの傘軸短縮過程の作動状態を示す拡大ＺＸ断面図である。
【図２１】図１９に示した制御レバーの傘軸短縮時（完全閉傘時）の作動状態を示すＺＸ面断面図である。
【図２２】本発明に係る傘の安全装置のロープを芯管の下端に固定した上記とは別の実施例を示すＺＸ面断面図である。
【図２３】図２２に示したロープの固定用部品のアセンブリを示す分解斜視図である。
【発明を実施するための形態】
【００３７】
以下、図面を参照しつつ、本発明に係る自動開閉傘の安全装置の構成について具体的に説明する。
本発明に係る自動開閉傘の安全装置は、３段折畳み傘のような折畳み傘に適用されるが、必ずしも３段のものに限定されるものではなく、４段又はそれ以上の折畳傘にも適用できるものである。ただし、本明細書で示す実施例においては、専ら３段折畳み傘を例にとって説明する。
又、添付図面においては、傘骨機構を傘軸の左側に一組しか描かず、他の傘骨機構については省略してある。
【００３８】
又、本明細書において、「ワイヤ」というときは、金属製ワイヤだけでなく、合成繊維の細い紐やロープ、糸、合成樹脂製の単線等をも包含するものである。
図６乃至図１１に示すように、自動開閉傘１００は、一般的には、石突側の外管２−１及び外管２−１の下方から順次入れ子状に挿入された中間管２−２と、内管２−３とから成る傘軸２と、外管２−１の上端に固定された上ロクロ６０１と、傘軸２上に摺動可能なように装着された下ロクロ６０２と、開閉折り畳み自在に構成された傘骨アセンブリ６０３と、公知の傘の開閉制御装置とから構成されている。
そして、上ロクロ６０１と下ロクロ６０２とは、傘骨アセンブリ６０３を介して連結されており、下ろくろの上下に合わせて、傘が開閉されるようになっている。
【００３９】
本発明に係る安全装置を具備する傘においては、上プーリー取付部材４（図８，図９）が、外管２−１の上端に取り付けられており、上プーリー取付部材４には芯管５が固着され、更に、内管２−３は中間管２−２を介して外管２−１の内部に入れ子状にかつ摺動自在に収容されており、開傘用のコイルスプリング６０４は、傘軸２内部に収容されている。
傘開閉用ワイヤ６は、図８に示すように、その一端が上プーリー取付部材４に固定され、他の一端は、傘軸２の外周面に沿って引き降ろされ、下ロクロ６０２に設けた折り返しローラー６０５において折り返され、再度上方向へ引き上げられて上プーリー取付部材４内に設けたプーリー４−１に巻き掛けられ、傘軸２の内面に沿って引き降ろされ、その端部には制御子７が取り付けられている。
傘軸２の下端には、制御管９を介して、傘開閉制御装置の本体１０が取り付けられ、この制御装置本体１０には安全装置と傘開閉制御装置の主要構成要素が組み付けられ、これにより傘制御装置ユニット１００が構成される。
【００４０】
握り柄８は、傘軸２の下端に取り付けられる制御装置ユニット１００に被せられネジ１１０によりネジ留めされ、これにより安全な自動開閉傘１が完成する。
制御管９の上端部は傘軸２の下端部に取り付けられ、制御レバー４１の操作アーム４１ａ、押ボタン装置８０の押ボタン８１で制御される制御レバー８２を受け入れ、且つ制御子７の「あぐ」を掛け止めるために用いられる窓９ａ及びスロット９ｂが形成され（図７，図１０）、制御管９の内面には制御子７を窓９ａ側に導くため、バネ片５０が取り付けられている。
【００４１】
制御子７は、芯管５の下端に押され、制御管９内に導かれたときは（図７，図１１）、バネ片５０が制御子７の先端を窓９ａに導くので、その先端の「あぐ」が窓９ａの下縁に掛け止められる。
【００４２】
一方、制御管９の外周面には１母線の全長に亘って、１本の縦溝９１が形成され（図７，図１１）ており、制動用ワイヤ３０は芯管５の中を通って、制御管９の外部に導かれるが、芯管５の管壁に設けた孔を通って縦溝９１内に導かれ、縦溝９１内を通って、ラチェット装置２００のリール２０ｃに巻き付いている。
【００４３】
握り柄８には、自動開閉傘１の開閉を制御するための押しボタン装置８０が設けられている。これらの部品の配置は一般的な自動開閉傘と略同様であるので、詳細な説明は省略するが、押ボタン装置８０は、押ボタン部８１ａと、基板部８１ｂとからなる押ボタン８１、制御バー８２、支軸８３及びバネ８４から成るものである。
【００４４】
傘が折り畳まれている状態で押ボタン８１が押されると、傘軸２が伸長し傘が開かれ、この状態で再度押しボタン８１が押されると傘骨アッセンブリ６０３及び傘布が折り畳まれるが、傘軸２は伸長したままである。
それで、使用者が手で傘軸２を押し縮めて、最短状態にロックされるまで短縮する。
【００４５】
傘軸の撥ね出し防止のための構成要素は、全て内管２−３の下端に取り付けられた制御装置本体１０に取り付けられており、これにより安全装置付きの傘制御装置ユニット１００が構成されるようになっている。
この制御装置ユニット１００には、全ての所要部品が取り付けられた状態で、底付円筒状の握り柄８が被せられ、握り柄８は止ネジ１１０でシッカリと取り付けられる。
【００４６】
このため、組立の最終段階及び分解の第一段階で、安全装置は傘開閉制御装置と共に一つの制御装置ユニット１００として扱うことができ、これに握り柄８を着脱することにより最終組立及び分解が出来、組立のみならず、点検、修理も極めて容易となり、製造コストが大幅に節減できることになる。
【００４７】
而して、制御装置本体１０の形状は特に限定されないが例えば図７に示されているように、底付円筒状又は樽型の握り柄８の内部にしっくりと納まるような外形形状を有する。
即ち、上端部１０ａは握り柄８の開口を閉塞する蓋となるよう中心に開口を有するフランジ構造とされる。このフランジの外経は、握り柄８の内径に合わせても良く、外経に合わせても良い。中心に起立する短い円筒部分は、強度の補強と、デザイン上の観点から設けるものであり必ずしも必須のものではない。
【００４８】
下端部１０ｂは、握り柄８の底部にしっくりと嵌められる形状となっている。図では円盤状として示されているが、これは、例えば握り柄８の底部の一直径方向の二箇所に位置するの円弧部分のみで握り柄８の内壁に接触させれば充分である。
上端部１０ａと下端部１０ｂの間の中間部は、できるだけ薄肉の成型品として構成される。
図７中の左前側の一半部には、押ボタン室１０ｃ、ラチェット室１０ｄ、ラチェット軸支持溝１０ｅ及び制御管結合ピン孔１０ｆが形成され、他の一半部、即ち、図７中の右後側の一半部には、図７からは明らかでないが、制御レバー室１０ｇ、制御レバー孔１０ｈ、押ボタン押戻装置室１０ｉ、握り柄取付ネジ孔１０ｊが設けられている。
【００４９】
而して、押ボタン室１０ｃ、ラチェット室１０ｄ、制御レバー室１０ｇ及び押ボタン押戻装置室１０ｉは、図１０等に示されているように、制御装置本体１０の内部で連通しており、それらの室にそれぞれ収容されている押ボタン装置８０、クラッチ装置２０、ラチェット制御装置４０及び押ボタン装置８５が相互に連携して作動できるようになっている。
【００５０】
又、図７では、この安全装置本体１０は、円柱状部材を機械加工したような形状に表示されているが、これは図を簡略にするための便宜上のものであり、実際には薄肉のプラスチック成型品として製造されるものである。
【００５１】
以下順次、各部分について説明する。
押ボタン室１０ｃには、押ボタン装置８０が収容される。
押ボタン装置８０は周知のものと同様で、押ボタン部８１ａと基板部８１ｂとから成る押ボタン８１と、制御レバー８２、制御レバー８２を支持するため設けられる支軸８３及びバネ８４から成り、押ボタン部材８１は、図９などに示されるように、その押ボタン部８１ａが、握り柄８の押ボタン孔８ｂから外方に突出するように、且つ握り柄８の半径方向に進退自在に押ボタン室１０ｃ内部に挿入され、バネ８４、押ボタン押戻金具８６及び復元バネ８７により、押ボタン部８１ａが外方に突出するような弾性力を受けるものである。而して、この押ボタン８１は、制御バー８２を介して、制御子７を制御する。
【００５２】
望ましい実施例においてこのラチェット装置２００は、内部にゼンマイ２２を収納する円筒状のゼンマイ室２０ａと、ゼンマイ室２０ａの底板と同軸の円筒の外周面に等間隔に複数のラチェット歯を配置して成るラチェット歯輪２０ｂと、これらと同軸の鍔付円筒状のリール２０ｃとから成るラチェット装置本体２０と、ゼンマイ室２０ｃに収納されるゼンマイ２２とから成るが、ラチェット装置２００の構成は必ずしもこれに限定されるものではない。
【００５３】
このラチェット装置２００は、その中心孔に固定支持軸２５を挿通した状態で、ラチェット室１０ｄに挿入され、固定支持軸２５の両端部をラチェット室１０ｄの内壁面に設けた軸支時溝１０ｅに嵌め込むことにより、ラチェット室１０ｄ内に回転自在に装着される。
ラチェット装置２００のラチェット装置本体２０は、ゼンマイ２２の弾性によってリール２０ｃに制動用ワイヤ３０を巻き取る方向へ向かって弾性力を受けるようになっている。
【００５４】
このため、ゼンマイ室２０ａの側壁円筒面には、ゼンマイ２２の外側の末端部２２ａを係止するためのスリット２０ｄを形成する。また、ゼンマイ２２の中心側端末は、固定支持軸２５の一端に設けたスリット２５ａに挿入され、固定される。更に、鍔付円筒状のリール２０ｃの鍔には制動用ワイヤ３０の下端の結び目３１を保持し固定するためのスリット２０ｅを形成する。
制動用ワイヤ３０の下端は上記の如く固定され、かつ、制動用ワイヤ３０はゼンマイ２２の作用によるラチェット装置２００の順方向への回転によりに巻き取られるようになっている。
【００５５】
他方、制動用ワイヤ３０の上端は、制御管９の側壁に形成した縦溝９１内を通過し（図７）、芯管５の内部に入り。傘軸２内を上昇し、上プーリー取付部材４と外管２−１により固定される（図８，図９）。
更に詳しく説明すると、上プーリー取付部材４には、プーリー４−１を装着するための窓が設けられ、その窓の下端には制動用ワイヤ３０を通すためのスリット４ａが設けられている。
一方、外管２−１の上端部には上記上プーリー取付部材４の窓に対応する幅広いスリットが設けられ、そのスリットの下端には、上記スリット４ａと協働して、制動用ワイヤ３０を通すスリット２−１ａが設けられる。
これらのスリット４ａ及びスリット２−１ａは、上プーリー取付部材４が外管２−１の頂部からその内部に挿入され、取り付けられたとき、上プーリー取付部材４の窓と外管２−１のスリットが相対応し、それらのスリット４ａ及びスリット２−１ａは、合致して制動用ワイヤ３０の通路となる孔を形成し、その通路は制動用ワイヤ３０の結び目３２を外側に出した状態で、制動用ワイヤ３０を通し、これにより制動用ワイヤ３０の一端を固定する。
制動用ワイヤ３０の上端のこのような固定形態は、従来技術とは異なるものであり、このような方法によれば、組立作業が極めて容易となり、組立コストが低減できるものである。
【００５６】
組立作業において、制動用ワイヤ３０と、傘開閉用ワイヤ６とは、いずれも現在市販の組立装置又は工具を用いて組み立てることができる。
制動用ワイヤ３０の上端の引き回し、取り付け位置及び取り付け方法に関する構成は、本発明の特徴の一つとするところである。
【００５７】
ラチェット装置本体２０の配置位置について述べると、ラチェット装置本体２０の中心軸方向の位置については、図１１に示す如く、制御管９の外壁面に沿って引き降ろされる制動用ワイヤ３０の延長線上にリール２０ｃの巻き領域中心が位置するように、そして図１０に示すように握り柄８の半径方向の位置については、ラチェット装置本体２０の中心が傘軸中心線から握り柄半径方向に、リール２０ｃに巻き取られる制動用ワイヤ３０の平均巻き円半径に略等しい距離だけシフトした位置に設けることが望ましい。
【００５８】
要するに、リール２０ｃに巻き込まれる制動用ワイヤ３０が、なるべく曲折することなくリール２０ｃに巻き込まれるようにすることである。
かかる構成によれば、制動用ワイヤ３０の移動に対する摩擦抵抗を最小限とすることができ、制動用ワイヤ３０の摩擦による損耗を抑えることが出来る。
【００５９】
芯管５の下端にはスリット５ａが形成され（図８）、スリット５ａを通じて制動用ワイヤ３０の上端を芯管５の内部へ導入するようにすることによって、制動用ワイヤ３０が制御子７の上端部に接触して、制御子７や制動用ワイヤ３０が摩耗するのを回避するようになっている。
【００６０】
押ボタン室１０ｃとラチェット室１０ｄの間に設けられたピン孔１０ｆは、この制御装置本体１０を制御管９に取り付けるためピンを挿通するため設けたもので、このピン孔１０ｆと制御管９に設けたピン孔９ｆとに連結ピン９２を挿通し、制御装置本体１０を制御管９に結合するものである
【００６１】
制御レバー室１０ｇには、制御レバー装置４０が取り付けられる。
制御レバー装置４０は、図７及び１０に示すように、制御レバー４１と、支軸４３と、トング形のバネ４４とから成り、制御レバー４１は、互いに略直角方向に延びる２本のアーム、即ち、操作アーム４１ａとラチェット制御アーム４１ｂとから成り、その角隅部には支軸４３を通すための軸穴４１ｃを有し、制御装置本体１０の中心軸から離れた位置に設けた支軸４３によって揺動自在に取り付けられる。
【００６２】
制御レバー４１は、例えば逆Ｌ字型、７の字型等に形成され（図７，図９，図１０）、支軸４３により揺動自在に支持され、支軸４３に取り付けられたバネ４４の弾性によって図中時計方向に回転させる方向に作用する弾性力が付与されるようになっており、これにより操作アーム４１ａに他の外力が作用していないときは、ラチェット制御アーム４１ｂの先端が、ラチェット装置２００のラチェット歯輪２０ｂに接触し、ラチェット機能が発揮できるようになっている。
【００６３】
然しながら、操作アーム４１ａの先端にこれを押し上げる方向に外力が加えられると、ラチェット制御アーム４１ｂの先端はラチェット歯輪２０ｂから引き離され、ラチェットは開放され、回転自在となる。
【００６４】
この操作アーム４１ａは、略制御装置本体１０を横切る方向に伸び、その自由端部が制御管９の相対向する管壁に設けられた一対のスリットの一方から制御管９の内部に差し込まれ、制御管９の内部を横切って対面に設けられた他の一方のスリットに達するよう配置され、ラチェット制御アーム４１ｂは、略制御装置本体１０の長手方向に延び、その自由端が、ラチェット装置２００の中心軸より下方でラチェット歯輪２０ｂに接離し得るよう配置されている。
【００６５】
又、操作アーム４１ａの先端部は制御管９の下端近くの位置で、略水平方向に制御管９内に挿入され、閉傘時傘軸２を押し縮める過程では、図１６に示すように制御子７は上方に引き上げられており、これによって、ラチェットが機能するので、制動用ワイヤ３０が弛むとラチェット装置２００のリール２０ｃに巻き込まれるようになっている。
即ち、制御レバー４１のラチェット制御アーム４１ｂの下端は、ラチェット装置２００のラチェット歯輪２０ｂに当接し、ラチェット作用を果たすようになっている。
図１６及び図２０に示されているように、ラチェット制御アーム４１ｂの下端は、バネ４４又はコイルスプリング４５の弾性力により、ラチェット歯輪２０ｂの歯列に押し当てられており、ラチェット歯輪２０ｂが時計方向に回転するときは、ラチェットの歯はラチェット制御アーム４１ｂを押し退けて回転できるが、反対に反時計方向に回転しようとすると、ラチェットの歯はラチェット制御アーム４１ｂの先端で回転を阻止されるのでラチェット装置２００は回転できないものである。
そしてここで用いられるバネは、上記の如く支軸４３に留められたトング形のバネ４４でも良いが図２０に示された引っ張りコイルスプリング４５とすることが望ましい。このコイルスプリング４５の一端は制御装置本体１０に取り付けられ、他の一端はラチェット制御アーム４１bの略中央に設けた留め孔４１ｆに掛け止められる。
このコイルスプリング４５はバネ４４に比して柔軟であり故障が少なく、組立ても容易である。
【００６６】
一方、使用者が傘軸２を圧縮しつつある間は、制動用ワイヤ３０が緩むので、そのワイヤはゼンマイ２２の弾性力でリール２０ｃに巻き込まれ、傘軸２は短縮されるが、使用者が傘軸２を開放するときは、傘軸２は開傘用スプリング６０４の弾性力により伸長しようとするので、制動用ワイヤ３０にはリール２０ｃから引き出す方向に力が掛かるが、このときラチェット歯輪２０ｂが回転を阻止されるので、制動用ワイヤ３０は引き出されず、従って傘軸２の伸長も阻止されるものである。
なお、制御レバー４１の形状は、上記の逆Ｌ字形のものに限定されるものでなく、一方の腕が制御子７により制御され、他の一方の腕がラチェット装置２００を制御できるような形状及び配置であれば良く、その形状は例えば三日月形などとすることができるものである。
【００６７】
図９乃至図１１には、自動開閉傘１を閉じた状態が示されている。この場合、制御子７は制御管９内にあり、その先端部７１は窓９ａに嵌まり込んでロックされている。このとき、芯管５の下端は制御子７の上端に当接し、制御子７の先端部７１がラチェット制御アーム４１ａの操作面４１dに当接することにより、制御レバー４１のラチェット制御アーム４１ｂの下端を支軸４３を中心に反時計方向に回動させ、制御レバー４１の下端がラチェット装置２００のラチェット歯輪２０ｂと噛み合わないようになっており、制動用ワイヤ３０はラチェット装置２００のリール２０ｃに巻き取られている
【００６８】
次に、図１２乃至図１４には、押しボタン８１を押すことによって自動開閉傘１が開いたときの状態が示されている。傘が開くとき、開傘用スプリング６０４の伸長力によって、傘軸２は上方向へ伸びるよう駆動される。
この場合、外管２−１と、芯管５と、上ロクロ６０１と、上プーリー取付部材４とが同時に一体となって上方向へ移動する。
更に、傘開閉用ワイヤ６が引かれることにより下ロクロ６０２が上ロクロ６０１へ向けて近づくよう移動し、このため傘骨アセンブリ６０３が展開される。このとき、上プーリー取付部材４の取り付けられている制動用ワイヤ３０の上端は上方向へ移動せしめられ、制動用ワイヤ３０はラチェット装置２０のリール２０ｂから引き出される。
【００６９】
然しながら、この状態においては、制御子７は依然として制御管９の窓９ａにロックされたままであり（傘開閉用ワイヤ６が引き伸ばされてピンと張った状態）、制御レバー４１のラチェット制御アーム４１ｂの下端はラチェット装置２０のラチェット歯輪２０ｂと噛み合っていない。
【００７０】
次に、図１５及び図１６には、図１２に示したような開傘状態において、押しボタン８１を再度押し、傘軸２は伸びたままの状態で、傘骨６０３を傘軸２の上端近くへ折り畳んで引き寄せた状態が示されている。
このとき、制御子７は、押しボタン８１により制御バー８２を介して押されて動き、制御管９の窓９ａから外れて傘開閉用ワイヤ６によって上方へ引き上げられ、これにより制御レバー４１の操作面４１ｂから離れる。
これにより、制御レバー４１はバネ４４の弾性復帰力によって回動し、そのラチェット制御アーム４１ｂの下端はラチェット装置２００のラチェット歯輪２０ｂに係合してラチェット機能を果たせるようになる。
【００７１】
図１７及び図１８には、伸びた状態の傘軸２が押し縮められた状態に戻されるときの中間状態が示されている。
傘軸２は次第に短くされ、芯管５が制御子７を同時に下方へ移動させる。
傘軸２が押し縮められつつある間、制御レバー４１のラチェット制御アーム４１ｂがラチェット歯輪２０ｂに接触していても、制動用ワイヤ３０が弛緩するので、ゼンマイ２２の弾性によって、ラチェット装置２００は順方向へ回転し、これにより制動用ワイヤ３０がラチェット装置２００のリール２０ｃにしっかりと巻き込まれる。
【００７２】
然しながら、傘軸２を押し縮める外力が失われると、開傘用スプリング６０４の伸長力が傘軸２を伸長する方向に作用するので、制動用ワイヤ３０が強く上方に引かれ、ラチェットには、これを逆方向、即ち、図中反時計方向に回転させるようにトルクが掛かる。
然しこのときは、ラチェット制御装置４０のラチェット制御アーム４１ｂが、ラチェット歯輪２０ｂに当接しているので、ラチェットの逆回転は阻止され、制動用ワイヤ３０は引き戻されず、このため傘軸２の伸長が阻止され、このため傘１が開くことがない。
このため、傘１の使用者が押ボタン８１ｂを押した後の閉傘操作中握り柄８から手を離し、傘軸２を開放しても、不用意に傘軸２が伸び、傘１が開くことはなく、これにより、確実な開傘防止効果が得られ、傘１は安全に開閉される。
【００７３】
なお、本発明に係る安全装置におけるラチェット装置２００は、図示する如く、握り柄８の中心軸から変位した位置に設けることにより、反対側の空いたスペースに制御レバー４１等を配置できるので、握り柄８内のスペースを有効に利用でき、握り柄のサイズを細く短くすることが可能になる。
【００７４】
図１９乃至図２１に示された制御レバー４１は、図６乃至図１８に示された制御レバー４１とは異なった形状をしており、操作アーム４１ａの先端に上方に延びる突起４１eを有する。
このような形状であると、制御子７の先端が当接する作用点４１eと、支軸４３の中心との距離が、前述のものより長くなるので、制御レバー４１の作用が一層好適となるものである。
【００７５】
制御レバー４１の取付位置は特に限定されず、制御レバー４１の形状に応じ図６乃至図１８に示したような支軸４３によって適宜の箇所に取り付けることができる。
また、バネ４４は図１９乃至図２１に示すような伸縮式スプリング（コイルバネ）などに代えることができ、その場合、スプリングの一端は制御装置本体１０へ取り付けられ、もう一方の端部は制御レバー４１の支軸４３とラチェット制御アーム４１ｂの下端部との間の掛け孔４１ｆに取り付けるようにする。
【００７６】
図２２には、これまでの実施例のものと類似の構造を有する実施例が示されている。この実施例とこれまでの実施例とが相違する点は、制動用ワイヤ３０の上端が制御管９の縦溝９１を通過したのち芯管５の下端に固定されている点である。制動用ワイヤ３０の下端はこれまでの実施例と同様に、ゼンマイのような弾性部材の作用によりラチェット装置２００のリールに巻き取られるようになっている。
【００７７】
図２３には、図２２の実施例において、芯管５の下端に制動用ワイヤ３０の上端を簡便に固定するための固定用部品アセンブリ６０の一実施例が示されている。
この固定用部品アセンブリ６０は、少なくとも１つの管材６１を有し、当該管材６１の上端にはスリット６１１が形成され、芯管５の下端に組み付けられる前に制動用ワイヤ３０の上端に形成した結び目３２をこのスリット６１１に取り付けるようになっている。
【００７８】
図２３に示すように、この固定用部品アセンブリ６０は第１管材６１と、第２管材６２とから成る。
第１管材６１には、その上端にスリット６１１と共に、小径部６１２が形成され、同様に芯管５の下端部にも小径部６１３が形成される。
組立時には、制動用ワイヤ３０の上端の結び目３２を第１管材６１に沿って引き上げ、第１管材６１の上端のスリット６１１に嵌め入れる。然るのち、第１管材６１の小径部６１２を第２管材６２の下端に嵌め入れることにより、制動用ワイヤ３０の上端の結び目３２を第１管材６１と第２管材６２の間に堅固に固定する。
第２管材６２の上端には、芯管５の下端に形成した小径部６１３を嵌め入れて組み付ける。
【００７９】
本発明の上記以外の利点や変更実施例については、当業者であれば容易に想到し得るであろう。
従って、本発明の技術的範囲は、ここに示し、かつ、説明した具体的な形態及び代表的な装置例に限定されるものではなく、ここに添付の特許請求の範囲によって規定される発明の一般的内容の趣旨及び範囲から逸脱しない範囲内における各種変更実施例及びこれと同等のものをすべて包含するものである。
【産業上の利用可能性】
【００８０】
本発明に係る自動開閉傘の安全装置は、上述の如く構成されるので、下記のような利点、即ち、
（１）従来品に比べて少ない部品から構成されるので、傘の自動開閉装置と共に一つのユニットとして組立てられ、特に小型化された握り柄内の制限されたスペースに収容できるので、握り柄のサイズに比して各部品のサイズを総体的に大きくすることができ、それによって各部品の強度を増大させ、耐用寿命を延ばすことができる。
（２）構成部品数が少ないので組立て、分解がし易く、また、ラチェット装置や制御レバーを１つのユニットとして構成することが可能であるので、組立て、分解を一層容易にでき、製造コストや修理代金を大幅に低減することができる、
（３）制御レバーは、その操作アームとラチェット制御アームとの中間に支軸が設けられ、この支軸を中心に揺動する第１種梃子として機能するので、力点（操作アーム）に加える操作力が少なくて済み、部品の摩耗等を防止し得るので、故障が少なく、作動が安定し、耐用寿命を延ばすことができる、
（４）ラチェット装置が、握り柄の中心軸から変位した位置に設けられるので、反対側の空いたスペースに制御レバー等を配置でき、握り柄内のスペースを有効に利用でき、握り柄のサイズを細く短くでき、持ち運びや操作に便利な自動開閉傘を提供できる、
等々、多くの優れた利点を有するものであるから、これを工業的規模で実施すれば、産業上多大の利益が得られる。
【符号の説明】
【００８１】
１          自動開閉傘
１００      制御装置ユニット
１０        制御装置本体
１０ａ      上端部
１０ｂ      下端部
１０ｃ      押ボタン室
１０ｄ      ラチェット室
１０ｅ      ラチェット軸支持溝
１０ｆ      制御管結合ピン孔
１０ｇ      制御レバー室
１０ｈ      制御レバー枢軸孔
１０ｉ      押ボタン復元装置室
１０ｊ      握り柄取付ネジ孔
２          傘軸
２−１      外管
２−１ａ    スリット
２−２      中間管
２−３      内管
２００      ラチェット装置
２０        ラチェット装置本体
２０ａ      ゼンマイ室
２０ｂ      ラチェット歯輪
２０ｃ      リール
２０ｄ      スリット
２０ｅ      スリット
２２        ゼンマイ
２２ａ      末端部
２５        支持軸
２５ａ      スロット
３０        制動用ワイヤ
３１        結び目
３２        結び目
４          上プーリー取付部材
４ａ        スリット
４−１      上プーリー
４０        制御レバー装置
４１        ラチェット制御制御レバー、制御レバー
４１ａ      操作アーム
４１ｂ      ラチェット制御アーム
４１ｃ      軸孔
４１ｄ      操作面
４１ｅ      突起
４１ｆ      掛け孔
４３        支軸
４４        バネ
４５        コイルスプリング
５          芯管
５ａ        スリット
５０        バネ片
６          傘開閉用ワイヤ
６０        固定用部品アセンブリ
６０１      上ロクロ
６０２      下ロクロ
６０３      傘骨アセンブリ
６０４      開傘用コイルスプリング
６０５      折り返しローラー
６１        第１管材
６１１      スリット
６１２      小径部
６１３      小径部
６２        第２管材
７          銛状の制御子、制御子
７１        先端部
８          握り柄
８ａ        開口
８ｂ        押ボタン孔
８０        押ボタン装置
８１        押ボタン
８１ａ      押ボタン部
８１ｂ      基板部
８２        制御バー
８３        支軸
８４        バネ
８５        押ボタン復元装置
８６        押ボタン押戻金具
８７        押ボタン復元バネ
９          制御管
９ａ        窓
９ｂ        スロット
９ｆ        連結ピン孔
９１        縦溝
９２        連結ピン
１１０      ネジ
【図１】
0005557280.tif 000002
【図２】
0005557280.tif 000003
【図３】
0005557280.tif 000004
【図４】
0005557280.tif 000005
【図５】
0005557280.tif 000006
【図６】
0005557280.tif 000007
【図７】
0005557280.tif 000008
【図８】
0005557280.tif 000009
【図９】
0005557280.tif 000010
【図１０】
0005557280.tif 000011
【図１１】
0005557280.tif 000012
【図１２】
0005557280.tif 000013
【図１３】
0005557280.tif 000014
【図１４】
0005557280.tif 000015
【図１５】
0005557280.tif 000016
【図１６】
0005557280.tif 000017
【図１７】
0005557280.tif 000018
【図１８】
0005557280.tif 000019
【図１９】
0005557280.tif 000020
【図２０】
0005557280.tif 000021
【図２１】
0005557280.tif 000022
【図２２】
0005557280.tif 000023
【図２３】
0005557280.tif 000024